(57)【特許請求の範囲】
【請求項１】
フェースプレート、
該フェースプレート裏面に固定され、挿入穴を形成した蟻溝構造のフレーム、
一端にボルトの頭部を保持するとともに前記フレームの蟻溝に挿入可能であり、前記蟻溝の入口を内側から付勢する板バネ、
前記ボルトの軸部とナットによって挟持される取付板、を備えるエレベータのかご操作盤において、
前記板バネは、一端に前記蟻溝に挿入可能であってその根元で前記蟻溝の入口を内側から付勢する突部、一端と他端間に前記ボルトの軸部を担持する柱部、他端に前記柱部と垂直に外延したつまみ部を有し、
前記ボルトを前記板バネに装着し、前記板バネを前記フレームの蟻溝の挿入穴に挿入することを特徴とするエレベータのかご操作盤。
【請求項２】
前記フェースプレートは押しボタン用の孔が設けられるとともに、前記取付板には押しボタンが固定されていることを特徴とする請求項１に記載のエレベータのかご操作盤。
【発明の詳細な説明】
【技術分野】
【０００１】
本発明は、エレベータのかご操作盤に関する。
【背景技術】
【０００２】
従来のかご操作盤を図１０乃至図１２に示す。図１０はかご操作盤の正面図、図１１は背面図、図１２は図１０のC-C断面図を示す。５１はフェースプレート、５２はボックス、５３はフレーム、５４はフレームの挿入穴、５５はフレームの蟻溝、５６はボルト、５７はナット、５８は押しボタンなどが取り付けられた取付板である。取付板５８は取付板５８を貫通するボルト５６とナット５７でフレーム５３に固定される。
【０００３】
従来の構成では、フェースプレート５１を立てた状態で、ボルト５６を固定しているナット５７を外すと、ボルト５６は落下してしまう。このため、ボルト５６及びナット５７によりフレーム５３に固定されている取付板５８のフェースプレートへ５１への取り付け・取り外しを行う際には、フェースプレート５１をボックス５２から取り外し、床に置いた状態の作業が必要となっていた。
【０００４】
また、エレベータのかご操作盤の例としては、特開平１０−８７２００がある。この文献では、蟻溝にボルトを嵌入させたスイッチプレート（フェースプレート）の取付けが開示されている。また、実開昭６０−８７２００では、フェースプレートにボルトが埋設され、このボルトに補強用鋼板（スイッチ取付板）を取付けすることが開示されている。
【０００５】
【特許文献１】特開平１０−８７２００
【特許文献２】実開昭６０−８７２００
【発明の開示】
【発明が解決しようとする課題】
【０００６】
従来の構成では、フェースプレートを立てた状態でボルトを固定しているナットを外すと、ボルトは落下してしまう。それにより、ボルト及びナットによりフレームに固定される取付板の取付け・取付け外し作業を行う際には、フェースプレートをボックスから取り外し、床に寝せた状態での作業が必要になるために時間がかかるという問題が生じる。
【課題を解決するための手段】
【０００７】
本願発明は、上記課題を解決するためになされたものであり、フェースプレート、フェースプレート裏面に固定され、挿入穴を形成した蟻溝構造のフレーム、一端にボルトの頭部を保持するとともにフレームの蟻溝に挿入可能であり、蟻溝の入口を内側から付勢する板バネ、ボルトの軸部とナットによって挟持される取付板、を備えるエレベータのかご操作盤において、板バネは、一端に蟻溝に挿入可能であってその根元で蟻溝の入口を内側から付勢する突部、一端と他端間にボルトの軸部を担持する柱部、他端に柱部と垂直に外延したつまみ部を有し、ボルトを板バネに装着し、板バネをフレームの蟻溝の挿入穴に挿入するものである。
【０００９】
また、本願発明では、フェースプレートは押しボタン用の孔が設けられるとともに、取付板には押しボタンが固定されたものである。
【発明の効果】
【００１０】
本願発明によれば、板バネを利用することによって、フェースプレートを立てた状態であっても、ボルトを落下させることなくナットを外すことができ、取付板を外す作業を短縮化することができるという効果を有する。
【００１１】
実施の形態１．
図１乃至図５は本発明のエレベータのかごに備え付けられるかご操作盤である。図１はかご操作盤の正面図、図２は背面図、図３は図１におけるA-A断面図、図４は図３より取付板８及び押しボタン９を除いた図、図５は図４のB-B断面図である。なお、以降、カゴ操作盤は、押しボタン方式であるとして説明するが、本願発明はこれに限られるものではない。すなわち、タッチパネルや認証装置を利用したカード方式である場合がある。この場合、取付板に固定するのは、押しボタンではなく、操作器具や表示器具などとなる。
【００１２】
図１において、１はフェースプレートである。フェースプレート１は後述する押しボタン９用の孔を有する。フェースプレート１は例えば、ステンレス又はプラスチックで成形されている場合もある。２はフェースプレート１が取り付けられるボックスである。このボックス２の中にはかご操作盤の押しボタンや表示装置に関する配線が収納されている。フェースプレート１はボックス２の正面開口部を覆ってボックス２に固定される。９は利用者が行き先階を指定したり戸の開閉を指示する押しボタンである。ここでは、フェースプレート１は押しボタン９用の孔を有するとして説明するがこれに限られず、孔を有さない場合もある。
【００１３】
図２において、３はフェースプレート１の裏面側に取り付けられるフレームである。フレーム３はフェースプレート２の裏側の両端に２つフェースプレートの縦方向と平行して設置される。４はフレーム３のボックス２側に形成された挿入穴４である。後述するボルト６の頭部６a及び板バネの突部１０ｂはここを通してフレーム３に挿入される。なお、本実施の形態では、挿入穴は円型として説明するがこれに限られるものではなく、ボルトの頭部６a及び板バネの突部１０ｂが挿入される大きさであれば良い。５はフレーム３のボックス２側から形成された蟻溝５である。
【００１４】
図３に示すように、蟻溝５とは、溝の入口よりも溝の奥方が広がっている形状の溝をいう。６はボルトであり７はナットである。ボルト６は頭部６aと軸部からなる。８は押しボタン９などの部品が取り付けられた取付板である。ボルト６の頭部６aは後述する板バネ１０を介してフレーム３の蟻溝５内に挿入される。ボルト６の軸部はフレーム３の蟻溝の入口から外に突出する。ボルト６の軸部はさらに取付板８を貫通して取付板８のボックス側面においてナット７に固定されている。取付板８は取付板８を貫通するボルト６とナット７によりフレーム３に固定され、取付板８はフェースプレート１に固定される。
【００１５】
次に板バネについて説明する。図６乃至図９は、板バネ１０を示すものである。図６は板バネ１０の斜視図であり、図７は正面図、図８は側面図、図９は板バネ１０のつまみに対して中央側に力を加えることにより板バネの形状をTとしたときの正面図である。
【００１６】
図６に示すように板バネ１０には、穴部１０a、突部１０ｂ、つまみ部１０ｃ、柱部１０ｄから形成される。板バネ１０は、ばね鋼など金属薄板のもつ弾性変形によるエネルギー吸収と復元によるエネルギー放出を利用したバネである。
【００１７】
図７の正面図は、板バネ１０になんら力を加えていない状態であり、つまみ部１０ｃ、柱部１０ｄ、突部１０ｂにより略Ｍ字型を形成している。突部１０ｂの先端は山形であり、山形の根元部に段差を形成しており、根元部の間隔が狭くなっている。突部１０ｂからつまみ部１０ｃまで、柱部１０ｄは広がるように八の字に形成され、さらに柱部１０ｄと垂直外向きの位置に外延してつまみ部１０ｃが形成される。
【００１８】
図９の正面図は、板バネ１０のつまみ部１０ｃに対して中心方向にMの力を加えたとき、すなわち、板バネ１０が蟻溝５に装着する状態の図である。山形の根元の幅は蟻溝５の入口幅より幅広となり、突部１０ｂの根元部からつまみ部１０ｃまでの柱部１０ｄの幅は、蟻溝５の開口幅相当となっている。一つの突部１０ｂから形成された２つの柱部１０ｄは、略平行となる。この場合の板バネ１０の形状は略T字型となり、このT字形状では、板バネ１０の弾性力PがMとは逆方向に発生する。
【００１９】
図６の斜視図及び図８の側面図に示すとおり、板バネ１０には柱部１０ｄ間にボルト６の軸部が挿入される第一の穴部が設けられている。また、板バネ１０には２つの突部１０ｂに挟まれボルト６のボルト６の頭部６aが挿入される第二の穴部が設けられている。板バネ１０の側面図である図８において、凸型の隙間があるがこの上方の部分が第一の穴部であり、下方の部分が第二の穴部にあたる。第一の穴部は第二の穴部よりもその幅が狭い。具体的に、第一の穴部の幅はボルト６の軸部は通すが、ボルト６の頭部６aは通さない大きさであり、第二の穴部の幅はボルト６の軸部及び頭部６aの両方を通す大きさである。
【００２０】
次に本実施の形態におけるかご操作盤の設置方法について図３乃至図５を用いて説明する。
【００２１】
フェースプレート１の裏面にフェースプレートの両端に、フェースプレートに平行になるように２つのフレーム３を固定する。この際、図３に示すように、フレーム３は蟻溝５を有し蟻溝の入口はボックス側にある。
【００２２】
ボルト６を板バネ１０に装着する。具体的には、ボルト６の軸部を板バネ１０の第一の穴部を通しボルトの頭部６aを板バネ１０の第二の穴部に引っ掛ける。これによりボルト６の軸部は、板バネ１０の柱部１０ｄにより担持される。
【００２３】
次に、図７のとおり、M字型の板バネ１０のつまみ部１０ｃをつまみ、図９の状態で蟻溝５の挿入穴４に板バネ１０の突部１０ｂを挿入する。このとき、ボルト６の頭部６ａは挿入穴４に挿入されるとともに、根元部は蟻溝５の入口の幅となっている。そして、板バネ１０の突部１０ｂ及びボルト６の頭部６aが蟻溝５に挿入され、板バネのフレーム３に対する装着が完了すると、板バネ１０が図９の状態となって、板バネ１０が、ばねの弾性力によって蟻溝５の入口に押付けられて、この押付け力により蟻溝５に摩擦保持される。突部１０ｂの根元で蟻溝５の入口を内側から付勢するものである。
【００２４】
突部１０ｂは蟻溝５の開口幅よりも幅広であり、開口部挿入時は開口幅に合わせるため両側から力が働き、板バネ１０全体が上下に伸びる。開口部挿入後、突部１０ｂは蟻溝５内において元の形状に戻ろうとするため、開口部裏側に引っ掛かり外れ止めとなる。
【００２５】
すなわち、装着状態（図３や図９）では、根元部の段差が蟻溝５の開口部裏側に引っ掛かり板バネ及びボルト６の外れ止めとなる。また、先端が山形であるので、板バネ１０を図７のようにＭ方向に曲げる際、曲げ易くなるとともに、蟻溝５の開口部へ挿入する際に根元部が蟻溝５の開口部の幅となって、容易に挿入させることができる。
【００２６】
本願は、板バネによりボルトの取り付け状態を保持し、フェースプレートを立てた状態でもボルトが落下することがない。また、板バネの先端部が山形を呈し、山形の根元部の幅が装着状態では蟻溝の開口部より幅広となっている。これにより、蟻溝へ容易に挿入されるとともに、装着した状態では外れ止めとなる。すなわち、蟻溝５にボルト６の頭部６aを挿入し、ボルト６の軸部は蟻溝の開口部から突出した状態にする。この所定の位置にあるボルト６の軸部及び頭部６aが板バネ１０の第一の穴部、第二の穴部に挿入されるように、板バネ１０をフレーム３に挿入する。この挿入により、弾性力Pにより蟻溝５に単独で固定している板バネ１０により、ボルト６は支えられ、ボルト６の取り付け位置が保持される。
【００２７】
本実施の形態によれば、板バネ１０により、蟻溝５に頭部６aを挿入しているボルト６の取り出し位置が保持されることで、フェースプレート１を立てた状態でボルト６を固定しているナット７を外してもボルト６が落下いしない構造となっている。これにより、フェースプレート1を立てた状態で、フレーム３に固定される取付板８の取り付け取り外し作業が可能となり、作業効率を高めることができる。
【図面の簡単な説明】
【００２８】
【図１】：本発明におけるエレベータのかご操作盤の正面図
【図２】：本発明におけるエレベータのかご操作盤の背面図
【図３】：図１におけるA-A断面図
【図４】：図３における取付板及び押しボタンを除いた図
【図５】：図４におけるB-B断面図
【図６】：本発明における板バネの斜視図
【図７】：本発明における板バネの正面図
【図８】：本発明における板バネの側面図
【図９】：本発明における板バネの正面図
【図１０】：従来のかご操作盤の正面図
【図１１】：従来のかご操作盤の背面図
【図１２】：図１０のC-C断面図
【符号の説明】
【００２９】
１：フェースプレート、２：ボックス、３：フレーム、４：挿入穴、５：蟻溝、６：ボルト、６a：ボルトの頭部、７：ナット、８：取付板、９：押しボタン、１０：板バネ、１０ａ：板バネの穴部、１０ｂ：板バネの突部、１０ｃ：板バネのつまみ部、１０ｄ：板バネの柱部
【図１】
0005598042.tif 000002
【図２】
0005598042.tif 000003
【図３】
0005598042.tif 000004
【図４】
0005598042.tif 000005
【図５】
0005598042.tif 000006
【図６】
0005598042.tif 000007
【図７】
0005598042.tif 000008
【図８】
0005598042.tif 000009
【図９】
0005598042.tif 000010
【図１０】
0005598042.tif 000011
【図１１】
0005598042.tif 000012
【図１２】
0005598042.tif 000013